(57)【要約】【課題】特にリーク発生時に漏洩されてしまう液体の量を低減することのできる、液体噴射装置のリーク検査方法、及び液体噴射装置を提供する。【解決手段】ポンプＰの作動により加圧した気体の加圧力を用いて液体収容体に収容される液体を液体噴射ヘッド１５側に送出して噴射させる液体噴射装置のリーク検査方法である。液体収容体１８内の液体量に応じて予め設定されるポンプ所定駆動時間内に、ポンプＰにより加圧された気体の圧力が予め設定される所定圧力に到達したか否かを判別し、所定圧力に到達した場合にはリークが発生していないと判定し、所定圧力に到達しない場合にはリークが発生していると判定する。【選択図】図２
2009073021.tif 000002
【特許請求の範囲】
【請求項１】
ポンプの作動により加圧した気体の加圧力を用いて液体収容体に収容される液体を液体噴射ヘッド側に送出して噴射させる液体噴射装置のリーク検査方法であって、
前記液体収容体内の液体量に応じて予め設定されるポンプ所定駆動時間内に、前記ポンプにより加圧された前記気体の圧力が予め設定される所定圧力に到達したか否かを判別し、前記所定圧力に到達した場合にはリークが発生していないと判定し、前記所定圧力に到達しない場合にはリークが発生していると判定することを特徴とする液体噴射装置におけるリーク検査方法。
【請求項２】
前記所定圧力は、前記液体噴射ヘッドから前記液体が噴射される際の圧力よりも低く設定されることを特徴とする請求項１に記載の液体噴射装置のリーク検査方法。
【請求項３】
リークが発生していると判定された場合に前記ポンプの駆動を中止することを特徴とする請求項１又は２に記載の液体噴射装置のリーク検査方法。
【請求項４】
ポンプの作動により加圧した気体の加圧力を用いて液体収容体に収容される液体を液体噴射ヘッド側に送出して噴射させる液体噴射装置のリーク検査方法であって、
前記液体噴射ヘッドから噴射された液体量に相当する前記気体の容量と、前記ポンプの駆動時間から算出される液体噴射時に使用される前記気体の容量と、を比較し、これら容量が略同等の場合にはリークが発生していないと判定し、これら容量が異なる場合にはリークが発生していると判定することを特徴とする液体噴射装置のリーク検査方法。
【請求項５】
リークが発生していると判定された場合に前記ポンプの駆動を中止させることを特徴とする請求項４に記載の液体噴射装置のリーク検査方法。
【請求項６】
液体が収容される液体収容体と前記液体に加圧力を付与するポンプとを備え、該ポンプの作動により加圧した前記気体の加圧力を用いて前記液体を液体噴射ヘッドに送出して噴射する液体噴射装置であって、
前記ポンプにより加圧された前記気体の圧力を検出する圧力検出手段と、
予め前記ポンプを前記液体収容体内の液体量に応じて設定される所定時間だけ駆動させる間に、前記圧力検出手段により検出される圧力が予め設定される所定圧力に到達したか否かを判別し、前記所定圧力に到達した場合にはリークが発生していないと判定し、前記所定圧力に到達しない場合にはリークが発生していると判定するリーク判定手段と、を備えることを特徴とする液体噴射装置。
【請求項７】
液体が収容される液体収容体と前記液体に加圧力を付与するポンプとを備え、該ポンプの作動により加圧した前記気体の加圧力を用いて前記液体を液体噴射ヘッドに送出して噴射する液体噴射装置であって、
前記液体噴射ヘッドから噴射された液体量に相当する前記気体の容量と、前記ポンプの駆動時間に基づいて液体噴射時に使用される前記気体の容量と、を比較し、これら容量が略同等の場合にはリークが発生していないと判定し、これら容量が異なる場合にはリークが発生していると判定するリーク判定手段を備えることを特徴とする液体噴射装置。
【発明の詳細な説明】
【技術分野】
【０００１】
本発明は、液体噴射装置のリーク検査方法、及び液体噴射装置に関するものである。
【背景技術】
【０００２】
従来から、液体をターゲットに対して噴射させる液体噴射装置として、インクジェット式プリンタ（以下、「プリンタ」と称す。）が広く知られている。このようなプリンタにあって、インクカートリッジをプリンタ上におけるキャリッジとは別位置のカートリッジホルダに装着するタイプ（所謂オフキャリッジタイプ）のプリンタの場合は、加圧空気を発生させる加圧ポンプを備え、この加圧ポンプとインクカートリッジの間を空気供給チューブで連結するようにしている。すなわち、そのプリンタで使用されるインク色の色数に対応させてカートリッジホルダに装着されている複数のインクカートリッジの全てに対し、加圧ポンプ装置から分岐して延びる空気供給チューブを介して加圧空気をそれぞれ供給するようにしている。そして、加圧ポンプ装置のポンプ作動に伴い、加圧空気を各インクカートリッジ内の空気室に空気供給チューブを介して送り込み、その空気室内に収容されているインクパックを押し潰すように加圧することで、インクカートリッジからインク供給チューブを介して記録ヘッドにインクが送出されるようにしている。
【０００３】
このようなプリンタでは、エアリークが発生した場合、インクカートリッジの空気室内での加圧空気の加圧力が不足してしまい、インクカートリッジからインクを円滑に送出することが困難となる。そこで、一定時間内に加圧センサがＯＮ状態となるか否かによりエア流路内でのリーク（以下、エアリークと称す）の発生を検査する方法がある（例えば、特許文献１参照）。
【特許文献１】特開２００７−２１９５５号公報
【発明の開示】
【発明が解決しようとする課題】
【０００４】
ところで、上記方法においてエラー出力時には、エアリークの他にインク流路内においてリークが発生している可能性がある。
しかしながら、上記従来技術ではエアリークの検出のみを考慮しており、インク流路内でのインクリークについて充分な対応が図られていなかった。インク流路内においてインクリークが発生した場合、特にインクカードリッジ内のインクが満タンに近いと床上にインクが漏洩することで甚大な被害が及ぶ可能性がある。
【０００５】
本発明はこのような事情に鑑みてなされたものであって、特にリーク発生時に漏洩されてしまう液体の量を低減することのできる、液体噴射装置のリーク検査方法、及び液体噴射装置を提供することを目的としている。
【課題を解決するための手段】
【０００６】
上記課題を解決するために、本発明の液体噴射装置のリーク検査方法は、ポンプの作動により加圧した気体の加圧力を用いて液体収容体に収容される液体を液体噴射ヘッド側に送出して噴射させる液体噴射装置のリーク検査方法であって、前記液体収容体内の液体量に応じて予め設定されるポンプ所定駆動時間内に、前記ポンプにより加圧された前記気体の圧力が予め設定される所定圧力に到達したか否かを判別し、前記所定圧力に到達した場合にはリークが発生していないと判定し、前記所定圧力に到達しない場合にはリークが発生していると判定することを特徴とする。
【０００７】
液体噴射ヘッドにおける液体が流れる流路内にリークが存在すると液体の漏洩を招き、或いは気体を供給する供給路内にリークが存在すると液体の噴射不良を招いてしまう。このようなリークが発生しているとポンプによって加圧された気体が所定圧力に到達しない。本発明によれば、ポンプにより昇圧される気体の圧力に基づいてリークの判別を容易に行うことができる。また、液体収容体内の液体量に応じてポンプの駆動時間が設定されるので、必要以上にポンプが駆動されてしまうことでリーク発生時に流路内から漏洩される液体量を低減することができる。
【０００８】
また、上記液体噴射装置のリーク検査方法においては、前記所定圧力は、前記液体噴射ヘッドから前記液体が噴射される際の圧力よりも低く設定されるのが好ましい。
所定圧力に到達するまでにポンプから送り込まれる気体の容量に応じてリークにより漏洩する液体の量が増加する。
そこで、本発明を採用すれば、所定圧力を低く設定することで該所定圧力に到達するまでにポンプから送り込まれる気体の容量を少なくすることでリークにより漏洩する液体の量を低減できる。
【０００９】
また、上記液体噴射装置のリーク検査方法においては、リークが発生していると判定された場合に前記ポンプの駆動を中止させるのが好ましい。
この構成によれば、例えばリークにより液体噴射ヘッドから液体が漏洩している場合において、液体の漏洩量を抑制することができる。
【００１０】
本発明の液体噴射装置のリーク検査方法は、ポンプの作動により加圧した気体の加圧力を用いて液体収容体に収容される液体を液体噴射ヘッド側に送出して噴射させる液体噴射装置のリーク検査方法であって、前記液体噴射ヘッドから噴射された液体量に相当する前記気体の容量と、前記ポンプの駆動時間から算出される液体噴射時に使用される前記気体の容量と、を比較し、これら容量が略同等の場合にはリークが発生していないと判定し、これら容量が異なる場合にはリークが発生していると判定することを特徴とする。
【００１１】
液体噴射ヘッドにおいてリークが発生する場合には、ポンプの駆動時間から想定される液体の容量と、実際に噴射された液体に相当する気体の容量とに差が生じるようになる。
そこで、本発明を採用すれば、液体噴射に用いた気体の容量に基づいてリークの判別を容易且つ確実に行うことができる。特に流路内でリークが発生している場合には、液体の漏洩量を低減することでリークによる不具合を抑制できる。
【００１２】
また、上記液体噴射装置のリーク検査方法においては、リークが発生していると判定された場合に前記ポンプの駆動を中止させるのが好ましい。
この構成によれば、例えばリークにより液体噴射ヘッドから液体が漏洩している場合において、液体の漏洩量を抑制することができる。
【００１３】
本発明の液体噴射装置は、液体が収容される液体収容体と前記液体に加圧力を付与するポンプとを備え、該ポンプの作動により加圧した前記気体の加圧力を用いて前記液体を液体噴射ヘッドに送出して噴射する液体噴射装置であって、前記ポンプにより加圧された前記気体の圧力を検出する圧力検出手段と、予め前記ポンプを前記液体収容体内の液体量に応じて設定される所定時間だけ駆動させる間に、前記圧力検出手段により検出される圧力が予め設定される所定圧力に到達したか否かを判別し、前記所定圧力に到達した場合にはリークが発生していないと判定し、前記所定圧力に到達しない場合にはリークが発生していると判定するリーク判定手段と、を備えることを特徴とする。
【００１４】
液体噴射ヘッドにおける液体が流れる流路内にリークが存在すると液体の漏洩を招き、或いは気体を供給する供給路内にリークが存在すると液体の噴射不良を招いてしまう。このようなリークが発生しているとポンプによって加圧された気体が所定圧力に到達しない。そこで本発明を採用すれば、ポンプにより昇圧される気体の圧力を圧力検出手段により検出することでリークの判別を容易且つ確実に行うことができる。また、液体収容体内の液体量に応じてポンプの駆動時間が設定されるので、必要以上にポンプが駆動されてしまうことでリーク発生時に流路内から漏洩される液体量を低減することができる。
【００１５】
本発明の液体噴射装置は、液体が収容される液体収容体と前記液体に加圧力を付与するポンプとを備え、該ポンプの作動により加圧した前記気体の加圧力を用いて前記液体を液体噴射ヘッドに送出して噴射する液体噴射装置であって、前記液体噴射ヘッドから噴射された液体量に相当する前記気体の容量と、前記ポンプの駆動時間に基づいて液体噴射時に使用される前記気体の容量と、を比較し、これら容量が略同等の場合にはリークが発生していないと判定し、これら容量が異なる場合にはリークが発生していると判定するリーク判定手段を備えることを特徴とする。
【００１６】
液体噴射ヘッドにおいてリークが発生する場合には、ポンプの駆動時間から想定される液体の容量と、実際に噴射された液体に相当する気体の容量とに差が生じるようになる。
そこで、本発明を採用すれば、液体噴射に用いた気体の容量を容量算出部により算出し、比較することでリークの判別を容易且つ確実に行うことができる。特に流路内でリークが発生している場合には、液体の漏洩量を低減することでリークによる不具合を抑制できる。
【発明を実施するための最良の形態】
【００１７】
以下、図面を参照して本発明の実施の形態について説明するが、本発明の技術範囲は以下の実施形態に限定されるものではない。また、以下の説明に用いる各図面では、各部材を認識可能な大きさとするため、各部材の縮尺を適宜変更している。
【００１８】
以下、本発明を具体化した一実施形態を図１〜図５に従って説明する。
図１に示すように、本実施形態における液体噴射装置としてのインクジェット式プリンタ（以下、「プリンタ」という。）１０は、直方体形状の本体ケース１１を備えている。本体ケース１１内の下部には、その長手方向に沿ってプラテン１２が架設されている。プラテン１２は、ターゲットとしての紙を支持する支持台であり、紙送り機構によって、給紙トレイから給送される紙を排紙トレイ（いずれも図示略）から本体ケース１１外へ排送するようになっている。
また、本体ケース１１内においてプラテン１２の上方にはガイド軸１３が架設され、このガイド軸１３にはキャリッジ１４が移動可能に挿通支持されている。キャリッジ１４には、本体ケース１１内に設けられたキャリッジモータが、一対のプーリに掛装されたタイミングベルト（いずれも図示略）を介して連結されている。従って、キャリッジ１４は、ガイド軸１３にガイドされながら、キャリッジモータの駆動によりタイミングベルトを介してプリンタ１０の長手方向に移動可能となっている。
【００１９】
キャリッジ１４の下面には液体噴射ヘッドとしての記録ヘッド１５が設けられている。記録ヘッド１５の下面側には複数の噴射ノズル（図示略）が形成されており、記録ヘッド１５は、各ノズルと個別対応するように設けられた圧電素子（図示略）が駆動制御されることにより、記録ヘッド１５の下方に至った紙に向けて、各ノズルからインク（液体）を噴射するようになっている。また、キャリッジ１４上には、記録ヘッド１５にインク（液体）を所定圧に調整して供給するサブタンク１６（バルブユニットとも言う）が搭載されている。
【００２０】
一方、本体ケース１１内において、キャリッジ１４の移動空間域から外れた位置には、カートリッジホルダ１７が固定配置されている。そして、カートリッジホルダ１７には、そのプリンタ１０で使用するインク色（例えばブラック、イエロー、マゼンタ、シアン）の色数（本実施形態では４つ）に対応した複数（４つ）のインクカートリッジ（液体収容体）１８が着脱可能に装着されている。
【００２１】
このように本実施形態のプリンタ１０は、インクカートリッジ１８がキャリッジ１４上に装着される所謂オンキャリッジタイプのプリンタではなく、インクカートリッジ１８がプリンタ１０上におけるキャリッジ１４とは別位置のカートリッジホルダ１７に装着される所謂オフキャリッジタイプのプリンタ１０として構成されている。なお、各インクカートリッジ１８内にはインク（収容液体）を充填したインクパック（図示略）がそれぞれ収容されている。
【００２２】
各インクカートリッジ１８及び各サブタンク１６は、それらが対応するインク色毎に、インク供給チューブ１９及び流路形成体２０を介して接続されている。また、本体ケース１１内においてカートリッジホルダ１７の近傍には、ポンプ作動することにより加圧空気（加圧気体）を排出する加圧ポンプＰが配設されている。そして、加圧ポンプＰから空気供給チューブ（加圧気体供給路）２１（図２参照）を介して加圧空気を送り込まれたインクカートリッジ１８内のインクパックが押し潰されるように変形することで、そのインクパック内に収容されたインクが対応するサブタンク１６へ流路形成体２０及びインク供給チューブ１９を介して圧送されるようになっている。
【００２３】
流路形成体２０は、略四角形状の平板に形成された取着部２０ａと、取着部２０ａの上端部から本体ケース１１内の中央位置に延出した延出部２０ｂとを備えている。取着部２０ａ及び延出部２０ｂには、インクカートリッジ１８の装着個数と対応する４つのインク流路（図示略）が形成され、延出部２０ｂの先端部にはインク供給チューブ１９の基端部が接続されている。インク供給チューブ１９には同じく４つのインク流路（図示略）が形成されており、流路形成体２０に形成された各インク流路とそれぞれ連通している。
【００２４】
インク供給チューブ１９の先端部は、同じく４つのインク流路（図示略）が形成された接続部材（図示略）を介してキャリッジ１４上のサブタンク１６に接続されている。したがって、印刷時には、インクカートリッジ１８内のインクは、流路形成体２０の各インク流路からインク供給チューブ１９の各インク流路、接続部材の各インク流路及び各サブタンク１６を介して、記録ヘッド１５の対応する各噴射ノズルにそれぞれ供給される。
【００２５】
また、本体ケース１１においてキャリッジ１４の下方位置には、記録ヘッド１５の噴射ノズル内から増粘したインクを廃液として吐出させて排出するためのクリーニング機構２２が設けられている。また、本体ケース１１の上面右端部の後方寄り位置には異常情報等の各種情報を表示可能な出力手段としての表示パネル２３が設けられている。
【００２６】
次に、上記プリンタ１０におけるインク加圧供給システム２４の構成について、図２を参照して詳述する。図２に示すように、加圧ポンプＰと各インクカートリッジ１８は空気供給チューブ２１を介して連結されている。この空気供給チューブ２１は、その途中から下流端側がインクカートリッジ１８の個数と対応して４つに分岐された分岐路２１ａとされ、その途中から上流端側が加圧ポンプＰに接続される単流路２１ｂとされている。単流路２１ｂの途中には、圧力検出手段としての圧力センサ２５が介在しており、この圧力センサ２５は加圧ポンプＰのポンプ作動に伴い空気供給チューブ２１内に排出された加圧空気の圧力を検出するようになっている。
【００２７】
一方、空気供給チューブ２１の各分岐路２１ａは各々対応するインクカートリッジ１８と個別に接続されている。各インクカートリッジ１８にはインクパック内に存在するインク量を把握可能とするインク残量検出チップ１００がそれぞれ設けられている。なお、各インクカートリッジ１８（１８Ｂ，１８Ｍ，１８Ｃ，１８Ｙ）からは、インク流路として流路形成体２０及びインク供給チューブ１９がキャリッジ１４の記録ヘッド１５まで延設されており、これにより記録ヘッド１５にインク供給が可能とされる。
【００２８】
次に、上記プリンタ１０の電気的構成について図３を参照して説明する。図３に示すように、プリンタ１０には制御部２６が設けられている。制御部２６には、前述した圧力センサ２５、表示パネル２３、加圧ポンプＰ、インク残量検出チップ１００が電気的に接続されている。また、制御部（リーク判定手段）２６は、ＣＰＵ２７を備えており、ＣＰＵ２７にはＲＯＭ２８及びＲＡＭ（記憶手段）２９が接続されている。また、ＣＰＵ２７には、カウンタ３０が接続されている。
【００２９】
ＲＯＭ２８には、印刷時のインク噴射を制御するための噴射制御プログラムの他、後述するリークチェックルーチン等の各種処理プログラムが記憶されている。ＲＡＭ２９には、プリンタ１０の動作中に適宜書き換えられる各種の情報が記憶されるようになっており、例えば、インク残量検出チップ１００から送られる各インクカートリッジ１８（１８Ｂ，１８Ｍ，１８Ｃ，１８Ｙ）のインクパンク内に存在するそれぞれのインク量に関する情報が適宜記憶されるようになっている。そして、ＣＰＵ２７は、カウンタ３０のカウンタ値及び表示パネル２３の表示内容を必要に応じて変更制御すると共に、圧力センサ２５から入力される検出信号に基づき、加圧ポンプＰを駆動制御するようになっている。
【００３０】
次に、制御部２６のＣＰＵ２７が実行する各種処理プログラムのうち、リーク検査の際に実行されるリークチェックルーチンの実行形態に基づいて、本発明に係る液体噴射装置におけるリーク検査方法について図４に示すフローチャートを参照しながら説明する。なお、図４に示されるフローチャートは記録ヘッド１５の初期加圧時に行うリーク検査に対応するものである。なお、初期加圧時とは、インクパックが加圧されない（大気圧下）、例えばプリンタ１０の電源投入時等の状況である。また、以下に示すリークチェックルーチンでは、主にインクリークを検査する場合について説明する。
【００３１】
本実施形態において、リーク検査とは、加圧ポンプＰから排出された加圧空気（エアー）が各インクカートリッジ１８に対して漏洩することなく確実に供給されているか否かを検査するエアリーク検査と、加圧ポンプＰにより加圧された加圧空気によりインクカートリッジ１８のインクパックから送出されたインクが記録ヘッド１５に到達するまでのインク流路内で漏洩（インクリーク）することなく確実に供給されているか否かの検査とを含む。なお、インク流路とはインクカートリッジ１８から記録ヘッド１５の各噴射ノズルまでの間に経由する、流路形成体２０の各インク流路、インク供給チューブ１９の各インク流路、接続部材の各インク流路、及び各サブタンク１６等のインクが流れる領域を含む。
【００３２】
まず、図４に示すように、各インクカートリッジ１８のインク残量をチェックする（ステップＳ１）。ＣＰＵ２７は、インク残量検出チップ１００に基づいて各インクカートリッジ１８のインクパック内のインク残量を把握する。次に、ＣＰＵ２７は、インクパックを加圧すべく、インクの吐出時に空気供給チューブ２１を介してインクカートリッジ１８内に送り込まれる空気の流路に相当するエア容量を計算する（ステップＳ２）。次に、上記ステップＳ１，Ｓ２によって得た各インクカートリッジ１８のインク量、及びエア容量に応じて加圧ポンプＰの駆動時間を設定する（ステップＳ３）。
【００３３】
以下、リーク検査時における加圧ポンプＰの駆動時間について説明する。
本実施形態では、加圧ポンプＰの所定駆動時間はインクカートリッジ１８内のインク残量に応じて設定される。
まず、各インクカートリッジ１８内のインクが満タン状態の場合において加圧空気を所定圧力まで到達させるまでに要する加圧ポンプＰの駆動時間を算出する場合について説明する。ここで、所定圧力とは加圧ポンプＰによる加圧空気でインクパックを加圧してインクを吐出させる際の圧力である。なお、本実施形態では上記所定圧力、すなわちリーク検査時における加圧空気の圧力をゲージ圧で１０ＫＰａに設定した。この圧力は一般的なオフキャリッジタイププリンタにおけるインク噴射時の加圧空気の圧力に相当するものである。ここでゲージ圧０ＫＰａとは絶対圧で１０１．３ＫＰａ（以下の説明では簡単のため、約１００ＫＰａとする）であり、具体的には大気圧に相当する。
【００３４】
また、各インクカートリッジ１８における容量をそれぞれ１００ｃｃ（すなわち、１００ｃｃ／色×４色（Ｙ，Ｍ，Ｃ，ＢＫ））とし、インクカートリッジ１８以外の加圧空気の流路（空気供給チューブ２１内の容積に相当）の体積を１００ｃｃとした。なお、加圧ポンプＰの吐出能力Ｖｓは大気圧下で１ｃｃ／ｓである。
【００３５】
以下の説明ではボイルの法則（Ｐ１Ｖ１＝Ｐ２Ｖ２）を用いる。Ｐ１，Ｖ１とは、加圧前の空気の圧力、及び体積、すなわち加圧ポンプＰにより送出される空気の状態量を示すものである。また、Ｐ２，Ｖ２とは、加圧後の空気の圧力、及び体積、すなわち加圧ポンプＰで加圧されてインク排出に用いられる空気の状態量を示すものである。
【００３６】
加圧前の空気の体積Ｖ１について式を展開すると、Ｖ１＝Ｐ２／Ｐ１×Ｖ２となる。また、所定圧力に到達するまでに加圧ポンプＰから送り込まれる空気容量をΔＶとすると、ΔＶ＝Ｖ１−Ｖ２で表される。ここに上記Ｖ１を代入すると、ΔＶ＝（Ｐ２／Ｐ１×Ｖ２）−Ｖ２＝（Ｐ２／Ｐ１−１）×Ｖ２となる。
【００３７】
上述したようにリーク検査時の加圧空気の圧力Ｐ２は絶対圧で１１０ＫＰａ、初期状態における空気の圧力Ｐ１は絶対圧で１００ＫＰａ（大気圧）となる。インクが満タン状態の場合、空気供給チューブ２１内の空気が加圧されることから、加圧空気量Ｖ０は１００ｃｃとなる。この加圧空気量Ｖ０は加圧後の空気の圧力、上記Ｐ２に対応する。
【００３８】
これら値を代入し整理すると、ΔＶ＝（１１０／１００−１）×１００となり、したがってリーク検査時に加圧ポンプＰから送出される空気容量ΔＶは１０ｃｃとなる。加圧ポンプＰにおける駆動時間Ｔは、Ｔ＝ΔＶ／Ｖｓで規定できることから、Ｔ＝１０／１＝１０秒が得られる。したがって、インクが満タン状態の場合、加圧ポンプＰの所定駆動時間は１０秒間と算出される。
【００３９】
各インクカートリッジ１８内のインクがカラ状態の場合において、加圧空気の圧力を所定圧力まで到達させる際の加圧ポンプＰの駆動時間を算出する場合について説明する。
インクがカラの場合、空気供給チューブ２１内の空気に加え、各インクパック１８内の空気を加圧する必要がある。各インクカートリッジ１８の容量は、１００ｃｃ×４、合計４００ｃｃとなる。また、空気供給チューブ２１内の空気容量は１００ｃｃとなる。したがって、加圧空気量Ｖ０は合計で５００ｃｃとなる。
【００４０】
以下、同様にボイルの法則を用いて所定圧力に到達するまでに送り込む空気容量ΔＶを算出する。本説明では、加圧空気量Ｖ０が５００ｃｃとなっている。これら値を代入し整理すると、ΔＶ＝（１１０／１００−１）×５００となり、リーク検査時に加圧ポンプＰから送出される空気容量ΔＶ＝５０ｃｃとなる。加圧ポンプＰにおける駆動時間Ｔは、Ｔ＝ΔＶ／Ｖｓで規定できることから、Ｔ＝５０／１＝５０秒が得られる。したがって、インクがカラ状態の場合、加圧ポンプＰの所定駆動時間は５０秒間と算出される。
【００４１】
なお、上述した加圧ポンプＰの駆動時間は一例であり、インクパック内のインク残量に応じて変化する。本発明は、各インクカートリッジ１８に設けられたインク残量検出チップ１００により、ＣＰＵ１７がインクパック毎にインク残量を把握できるので、インクカートリッジ１８内における加圧すべき空気の合計量を容易に把握することができる。よって、プリンタ１０の色毎にインク使用量が異なるような場合においても確実なリーク検査を行うことができる。
【００４２】
このようにして、加圧ポンプＰの所定駆動時間を設定した後、該所定駆動時間内に加圧ポンプＰにより加圧された空気の圧力が上述の所定圧力（１０ＫＰａ）に到達したか否かを判別することでリーク検査を行う（ステップＳ４，Ｓ５）。リークチェック時には、圧力センサ２５は加圧空気の圧力値Ｐａを検出し、その検出した圧力値Ｐａを示す検出信号をＣＰＵ２７に逐一入力している。
【００４３】
ところで、プリンタ１０においてインクリークが発生していない場合、加圧ポンプＰを上述の所定駆動時間だけ駆動すると加圧空気が所定圧力に到達するようになる。一方、プリンタ１０においてインクリークが発生している場合、加圧ポンプＰによる加圧力を効率的に使用できないため、上述の所定駆動時間内で加圧空気を所定圧力に到達させることができない。
【００４４】
本実施形態に係るフローチャートでは、所定駆動時間内に所定圧力に到達した場合、制御部２６はリークが発生していないと判定（ＹＥＳ判定）し、リークが発生していない旨を表示パネル２３に表示し、印字動作を可能とする（ステップＳ６、Ｓ７）。以上により、リーク検査が終了する。
【００４５】
一方、所定時間内に所定圧力に到達しない場合、制御部２６はリークが発生していると判定（ＮＯ判定）し、ＣＰＵ２７はエラー信号を出力する（ステップＳ８）。そして、ＣＰＵ２７は圧力センサ２５と空気供給チューブ２１との間に設けられたバルブ（不図示）を開くことで減圧動作を行う（ステップＳ９）。これによりリークによりインクが漏洩されることが防止される。そして、表示パネル２３にリークが発生している旨、例えばエラーを表示する。以上により、リーク検査が終了する。
【００４６】
したがって、本実施形態によれば、前記インクカートリッジ１８内のインク量に応じて予め設定されるポンプ所定駆動時間内に、加圧ポンプＰにより加圧された加圧空気の圧力が予め設定した所定圧力に到達したか否かを判別することで、プリンタ１０におけるリーク発生の有無を判断している。このように加圧ポンプＰにより昇圧される空気の圧力に基づいてリークの判別を容易に行うことができる。インクカートリッジ１８内のインク量に応じて加圧ポンプＰの駆動時間が設定されるので、必要以上に加圧ポンプＰが駆動されてしまうことでリーク発生時に漏洩されるインク量を低減することができる。
【００４７】
なお、上記実施形態ではリーク検査としてインクリークを検出する場合について説明したが、エアリークについても同様に検出することができる。また、上述した実施形態では、一般的なオフキャリッジタイププリンタにおけるインク噴射時の圧力（１０ＫＰａ）をリーク検査時の所定圧力としたが、該所定圧力はインク噴射時における圧力よりも低く設定するのが望ましい。
【００４８】
以下、その理由について述べる。この説明においては、インクカードリッジ１８内のインクをカラ状態とする所定時間だけ加圧ポンプＰを駆動させるまでに加圧空気が所定圧力に到達しない場合、すなわちインク流路内においてインクリークが発生している場合について説明する。
【００４９】
ここで、リークするインク量は、インクがカラ状態において所定圧力に到達させるべく加圧ポンプＰから送り込まれる空気容量ΔＶ１と、インクが満タン状態において所定圧力に到達させるべく加圧ポンプＰから送り込まれる空気容量ΔＶ２との差（ΔＶ１−ΔＶ２）によって規定することができる。なお、所定圧力に到達するまでに加圧ポンプＰから送り込まれる空気容量は、ΔＶ＝（Ｐ２／Ｐ１−１）×Ｖ２の式から算出できる。
【００５０】
上記所定圧力を１０ＫＰａに設定した場合、上述したようにインクが満タン状態における空気容量ΔＶ１が１０ｃｃとなり、インクがカラ状態における空気容量ΔＶ２が５０ｃｃとなる。したがって、上記所定圧力を１０ＫＰａに設定した場合、加圧ポンプＰを所定時間だけ駆動させる間に５０ｃｃ−１０ｃｃ＝４０ｃｃのインクが漏洩することとなる。
【００５１】
一方、インク噴射時の圧力よりも低く設定した場合（例えば１ＫＰａ）、ΔＶ１＝（（１００＋１）／１００−１）×５００＝５ｃｃとなり、ΔＶ２＝（（１００＋１）／１００−１）×１００＝１ｃｃとなる。したがって、上記所定圧力を１ＫＰａに設定した場合（インク噴射時の圧力よりも低く設定した場合）、５ｃｃ−１ｃｃ＝４ｃｃのインクが漏洩することとなる。
【００５２】
このように所定圧力に到達するまでに加圧ポンプＰから送り込まれる空気の容量に応じてリークにより漏洩するインク量が増加する。よって、リーク検査時に設定される加圧ポンプＰによって加圧される加圧空気の所定圧力をインク噴射時における圧力よりも小さくすることでリーク発生時に漏洩するインク量をより低減できる。
【００５３】
（他の実施形態）
続いて、上記プリンタに係るその他の実施形態について説明する。本実施形態に係るプリンタ１０は、制御部２６のＣＰＵ２７が実行する各種処理プログラムのうち、リーク検査の際に実行されるリークチェックルーチンの実行形態のみが異なり、それ以外の構成については同じである。したがって、以下の説明では図５に示すフローチャートを参照しながらインクを吐出する印字動作時に行われるリーク検査について説明する。
【００５４】
まず、図５に示すように、加圧ポンプＰを駆動することでインクパックを押しつぶし、インクを噴射し所定パターンを印字した後、印字を終了する（ステップＳ１１，Ｓ１２）。ここで、ＣＰＵ２７は、紙面上に印字した画像データ等に基づいて印字に使用したインク量を計算し、インクの使用量Ｖｐとする（ステップＳ１３）。
【００５５】
続いて、ＣＰＵ２７は、上記インクの使用量Ｖｐに相当する空気容量Ｖｔを算出する。具体的には、インク噴射時における加圧空気の圧力は上述したように１１０ＫＰａ（絶対圧）であることから、Ｖｔ＝Ｖｐ×１１０／１０で表される。ここで、印字開始前から印字終了時までにおける加圧ポンプＰの駆動合計時間をＴｐｄとすると、ポンプから送り込まれた空気容量Ｖｐｄは、Ｖｐｄ＝Ｔｐｄ×Ｖｓと表すことができる。以上により、空気容量Ｖｐｄが算出される（ステップＳ１５）。
【００５６】
ところで、プリンタにおいてエアリーク或いはインクリークが発生する場合、ポンプの駆動時間から想定される加圧空気の容量と、実際に噴射されたインクに相当する加圧空気の容量とに差が生じるようになる。一方、プリンタ１０においてインクリークが発生していない場合には、これら容量が略一致する。
【００５７】
本実施形態に係るフローチャートでは、これら容量が略同等（すなわち、Ｖｐｄ≒Ｖｔ）の場合（ＹＥＳ判定）、制御部２６はリークが発生していないと判定する（ステップＳ１６）。これにより、リーク検査が終了し、次の印字動作へと進む（ステップＳ１７）。
一方、これら空気容量が異なる場合（ＮＯ判定）、制御部２６はリークが発生していると判定し、ＣＰＵ２７はエラー信号を出力する（ステップＳ１８）。具体的には、加圧ポンプＰから送り込まれた空気容量Ｖｐｄが噴射されたインク量に相当する空気容量Ｖｔよりも大きい場合（Ｖｔ＜＜Ｖｐｄ）、インク流路内でインクリークが生じている。
【００５８】
そして、ＣＰＵ２７は圧力センサ２５と空気供給チューブ２１との間に設けられたバルブ（不図示）を開くことで減圧動作を行う（ステップＳ１９）。そして、表示パネル２３にインクリーク或いはエアリークが発生している旨、例えばエラーを表示する（ステップＳ２０）。以上により、リーク検査が終了する。
【００５９】
したがって、本実施形態によれば、噴射したインクの容量を制御部２６により算出し、比較することでリークの判別を容易且つ確実に行うことができる。また、例えばインクリークが生じると判定したプリンタ１０を次回の印字に用いるのを回避することができ、結果的に漏洩されるインク量を低減することができる。
【図面の簡単な説明】
【００６０】
【図１】プリンタの概略構成を示す図である。
【図２】インク加圧供給システムの構成を示す図である。
【図３】プリンタの電気的構成を示す図である。
【図４】初期加圧時に行うリーク検査に対応するフローチャート図である。
【図５】印字動作時に行われるリーク検査に対応するフローチャート図である。
【符号の説明】
【００６１】
Ｐ…加圧ポンプ（ポンプ）、１０…プリンタ（液体噴射装置）、１５…記録ヘッド（液体噴射ヘッド）、１８…インクカートリッジ（液体収容体）、２５…圧力センサ２５（圧力検出手段）、２６…制御部（圧力検出手段）
【図１】
2009073021.tif 000003
【図２】
2009073021.tif 000004
【図３】
2009073021.tif 000005
【図４】
2009073021.tif 000006
【図５】
2009073021.tif 000007